(57)【特許請求の範囲】
【請求項１】
高層の建物の解体中に解体階の角部に残存した独立柱の解体工法であって、 互いに略直角となるように配置された一対のフレームと、該一対のフレームを結合する梁と、該梁に両端を固定された緊縛材とを備える架台を、建物の内側に前記フレームが前記独立柱の側面に当接するように設置し、前記一対のフレームの一方を、前記独立柱の下端に接合され互いに略直角となるように配置された一対の大梁の一方の上、又は当該大梁の上のスラブに固定し、前記一対のフレームの他方を、前記一対の大梁の他方の上、又は当該大梁の上のスラブに固定し、緊縛材で前記独立柱を緊縛することにより、前記独立柱を前記架台に固定する工程と、  前記架台に固定された前記独立柱を切断する工程と、 前記緊縛材による前記独立柱の緊縛を開放することにより、前記独立柱の前記架台への固定を解除してクレーンで揚重して撤去する工程と、  を備える解体工法。
【請求項２】
高層の建物の解体中に解体階の角部に残存した独立柱を保持する柱保持装置であって、 互いに略直角となるように配置された一対のフレームと、該一対のフレームを結合する梁と、該梁に両端を固定された緊縛材とを備える架台であり、 建物の内側に前記フレームが前記独立柱の側面に当接するように設置され、前記一対のフレームの一方が、前記独立柱の下端に接合され互いに略直角になるように配置された一対の大梁の一方の上、又は当該大梁の上のスラブに固定され、前記一対のフレームの他方が、前記一対の大梁の他方の上、又は当該大梁の上のスラブに固定され、緊縛材で前記独立柱が緊縛されることにより、前記独立柱が前記架台に固定される柱保持装置。
【発明の詳細な説明】
【技術分野】
【０００１】
本発明は、建物における柱の解体工法及び該柱を保持する柱保持装置に関する。
【背景技術】
【０００２】
水平面より起立する柱や壁等の切断対象物を、転倒防止杆なるつっかい棒で支えた状態で切断し、切断されたブロックをクレーンで揚重した状態でつっかい棒を当該ブロックから取り外し、その後に、当該ブロックをクレーンで揚重して撤去する解体工法が知られている（例えば、特許文献１参照）。
【先行技術文献】
【特許文献】
【０００３】
【特許文献１】特開２００３―２０７９９号公報
【発明の概要】
【発明が解決しようとする課題】
【０００４】
ここで、上記つっかい棒は、長さ調整可能な棒材を、解体対象物と水平面との間に張設したものであり、引張荷重を負担させることは可能であっても圧縮荷重や曲げ荷重を負担させることはできない。従って、このつっかい棒では、全方位から棒材で支えることができない建物縁端部の解体対象物については地震時水平力を負担することができず、地震時に、周囲の梁等から分離された独立柱等の解体対象物を、安定的に支持することができない。
【０００５】
本発明は、上記事情に鑑みてなされたものであり、周囲の梁等から分離された解体対象物としての独立柱を、安定的に支持した状態で解体できる解体工法及び柱保持装置を提供するものである。
【課題を解決するための手段】
【０００６】
上記課題を解決するために、本発明に係る建物の解体工法は、高層の建物の解体中に解体階の角部に残存した独立柱の解体工法であって、互いに略直角となるように配置された一対のフレームと、該一対のフレームを結合する梁と、該梁に両端を固定された緊縛材とを備える架台を、建物の内側に前記フレームが前記独立柱の側面に当接するように設置し、前記一対のフレームの一方を、前記独立柱の下端に接合され互いに略直角に配置された一対の梁の一方の上、又は当該梁の上のスラブに固定し、前記一対のフレームの他方を、前記一対の梁の他方の上、又は当該梁の上のスラブに固定し、緊縛材で前記独立柱を緊縛することにより、前記独立柱を前記架台に固定する工程と、前記架台に固定された前記独立柱を切断する工程と、前記緊縛材による前記独立柱の緊縛を開放することにより、前記独立柱の前記架台への固定を解除してクレーンで揚重して撤去する工程と、を備える。
【０００９】
また、上記課題を解決するために、本発明に係る柱保持装置は、高層の建物の解体中に解体階の角部に残存した独立柱を保持する柱保持装置であって、互いに略直角となるように配置された一対のフレームと、該一対のフレームを結合する梁と、該梁に両端を固定された緊縛材とを備える架台であり、建物の内側に前記フレームが前記独立柱の側面に当接するように設置され、前記一対のフレームの一方が、前記独立柱の下端に接合され互いに略直角になるように配置された一対の梁の一方の上、又は当該梁の上のスラブに固定され、前記一対のフレームの他方が、前記一対の梁の他方の上、又は当該梁の上のスラブに固定され、緊縛材で前記独立柱が緊縛されることにより、前記独立柱が前記架台に固定される。
【発明の効果】
【００１０】
上記解体工法及び柱保持装置によれば、周囲の梁等から分離された解体対象物としての独立柱を、安定的に支持した状態で解体できる。
【図面の簡単な説明】
【００１１】
【図１】解体中の高層の建物１０を示す平面図である。
【図２】解体中の高層の建物１０を示す立面図である。
【図３】建物１０の所定階をその下階から見上げた状態を示す図（見上図）である。
【図４Ａ】解体工事の第１工期での屋上階（Ｒ階）の状態を示す見上げ図である。
【図４Ｂ】解体工事の第１工期での最上階（Ｎ階）の状態を示す見上げ図である。
【図５Ａ】外周柱１２を切断する手順を示す立面図である。
【図５Ｂ】外周柱１２を切断する手順を示す立面図である。
【図５Ｃ】外周柱１２を切断する手順を示す立面図である。
【図５Ｄ】外周柱１２を切断する手順を示す立面図である。
【図６Ａ】解体工事の第２工期での屋上階（Ｒ階）の状態を示す見上げ図である。
【図６Ｂ】解体工事の第２工期での最上階（Ｎ階）の状態を示す見上げ図である。
【図６Ｃ】解体工事の第２工期での最上階の下の階（Ｎ−１階）の状態を示す見上げ図である。
【図７Ａ】解体工事の第３工期での屋上階（Ｒ階）の状態を示す見上げ図である。
【図７Ｂ】解体工事の第３工期での最上階（Ｎ階）の状態を示す見上げ図である。
【図８】大梁１６の切断手順を示す側断面図である。
【図９】大梁１８の切断手順を示す側断面図である。
【図１０Ａ】解体工事の第４工期での屋上階（Ｒ階）の状態を示す見上げ図である。
【図１０Ｂ】解体工事の第４工期での最上階（Ｎ階）の状態を示す見上げ図である。
【図１１Ａ】大梁１８を揚重する手順を示す立面図である。
【図１１Ｂ】大梁１８を揚重する手順を示す立面図である。
【図１１Ｃ】大梁１８を揚重する手順を示す立面図である。
【図１２Ａ】外周柱１２と大梁１６とを揚重する手順を示す側断面図である。
【図１２Ｂ】外周柱１２と大梁１６とを揚重する手順を示す側断面図である。
【図１２Ｃ】外周柱１２と大梁１６とを揚重する手順を示す側断面図である。
【図１３Ａ】解体工事の第５工期での屋上階（Ｒ階）の状態を示す見上げ図である。
【図１３Ｂ】解体工事の第５工期での最上階（Ｎ階）の状態を示す見上げ図である。
【図１４Ａ】スラブ３０をカッターで切断する手順を拡大して示す見上げ図である。
【図１４Ｂ】スラブ３０をカッターで切断する手順を拡大して示す見上げ図である。
【図１５Ａ】外周柱１３をワイヤーソーマシーン３６で切断する手順を示す平面図である。
【図１５Ｂ】外周柱１３をワイヤーソーマシーン３６で切断する手順を示す立面図である。
【図１５Ｃ】外周柱１３を固定する架台６０を示す立面図である。
【図１６】外周柱１３の揚重手順を示す斜視図である。
【図１７Ａ】解体工事の第６工期での屋上階（Ｒ階）の状態を示す見上げ図である。
【図１７Ｂ】解体工事の第６工期での最上階（Ｎ階）の状態を示す見上げ図である。
【図１８Ａ】解体工事の第７工期での屋上階（Ｒ階）の状態を示す見上げ図である。
【図１８Ｂ】解体工事の第７工期での最上階（Ｎ階）の状態を示す見上げ図である。
【図１８Ｃ】解体工事の第７工期での最上階の下の階（Ｎ−１階）の状態を示す見上げ図である。
【図１９Ａ】解体工事の第８工期での屋上階（Ｒ階）の状態を示す見上げ図である。
【図１９Ｂ】解体工事の第８工期での最上階（Ｎ階）の状態を示す見上げ図である。
【図１９Ｃ】解体工事の第８工期での最上階の下の階（Ｎ−１階）の状態を示す見上げ図である。
【発明を実施するための形態】
【００１２】
以下、本発明の一実施形態を、図面を参照しながら説明する。図１は、解体中の高層で柱・梁構造の建物１０を示す平面図であり、図２は、この建物１０を示す立面図である。この建物１０の中央にはタワークレーン２が設置され、建物１０の隣の敷地には、破砕作業場４が設置されている。また、建物１０は、養生８により周囲を囲われている。
【００１３】
本実施形態に係る解体工法では、建物１０の高層階からブロック解体を順次行い、分断されたブロック体をタワークレーン２で揚重して破砕作業場４に降下させる。そして、破砕作業場４において、ブロック体を破砕機６で破砕する。
【００１４】
図３は、建物１０の各階をその下階から見上げた状態を示す図（見上図）である。この建物１０の各階には、その外周に配置された鉄筋コンクリート製の外周柱１２、１３と、その内周に配置された鉄筋コンクリート製の内周柱１４と、さらにその内周に配置された鉄筋コンクリート製の内周柱１５と、外周柱１２と内周柱１４との間、隣設された一対の外周柱１２の間、隣設された一対の内周柱１４、１５の間にそれぞれ架設されたＨ鋼である大梁１６、１８、２０、２１とが存在する。外周柱１３は、建物の４隅に位置する柱である。
【００１５】
また、建物１０の各階には、外周柱１２と交互に配置された鉄筋コンクリート製の間柱２２と、大梁１６、１８に結合された小梁２４と、２本の内周柱１４と２本の内周柱１５とより囲まれた領域に配置されたエレベータ開口部鉄骨梁２６と、エレベータ開口部鉄骨梁２６に隣設された鉄骨階段２８と、上述の柱や梁等に支持されたスラブ３０とが存する。建物１０の各階の中央には、スラブ、柱、梁及びエレベータ機械等を撤去することにより開口３１が形成されており、その開口３１には、タワークレーン２のマスト３が挿通されている。
【００１６】
以下、図面を参照して建物１０の解体工法について説明する。なお、以下の説明では、建物１０の各階の中央の工区、建物１０の各階の図中上側の工区、及び建物１０の各階の図中下側の工区を、それぞれＡ１工区、Ａ２工区、及びＡ３工区と称する。
【００１７】
図４Ａ及び図４Ｂはそれぞれ、解体工事の第１工期での屋上階（以下、Ｒ階という）、及び最上階（以下、Ｎ階という）の状態を示す見上げ図である。なお、Ｎ階の下の階を（Ｎ−１）階と称する。
【００１８】
図４Ａに示すように、Ｎ階のＡ１工区では、Ｒ階の塗り潰しで示す領域の内周柱１５、大梁２１、エレベータ開口部鉄骨梁２６、鉄骨階段２８、及びスラブ３０を、ブロック解体してタワークレーン２で揚重して破砕作業場４に降ろす。また、Ｎ階のＡ２工区及びＡ３工区では、Ｒ階の大梁１６、小梁２４、その他スラブ３０等を支える支保工を架設する。また、Ｒ階のＡ２工区及びＡ３工区では、Ｒ階のスラブ３０をカッターで切断する。
【００１９】
ここで、外周の大梁１８に沿って形成された切断線Ｌ１と、内周の大梁２０に沿って形成された切断線Ｌ２と、大梁１６に沿って形成された切断線Ｌ３で、Ｒ階のスラブ３０を切断する。隣設された一対の大梁１６の間には２本の切断線Ｌ３が入るように、Ｒ階のスラブ３０を切断する。また、Ｒ階の小梁２４を、切断線Ｌ１、Ｌ２、Ｌ３との交点において切断する。これにより、Ｒ階のスラブ３０を、大梁１６と小梁２４とが下面に結合した長方形状のブロック体３０Ａと、小梁２４が下面に結合した長方形状のブロック体３０Ｂとに分断する。
【００２０】
切断線Ｌ１、Ｌ２は、スラブ３０の配力筋方向（長辺方向）に延びており、切断線Ｌ３は、スラブ３０の主筋方向（短辺方向）に延びている。このため、切断線Ｌ１、Ｌ２においてスラブ３０の主筋が切断され、切断線Ｌ３においてスラブ３０の配力筋が切断される。
【００２１】
また、Ｎ階のＡ２工区及びＡ３工区では、Ｒ階の小梁２４をガスバーナで切断し、Ｎ階の外周柱１２、間柱２２（図中塗り潰しで示す）をワイヤーソーマシーンで切断する。
【００２２】
また、図４Ｂに示すように、Ｎ階のＡ１工区では、Ｎ階の塗り潰しで示す領域のエレベータ開口部鉄骨梁２６を、ブロック解体してタワークレーン２で揚重して破砕作業場４に降ろす。また、（Ｎ−１）階のＡ１工区において、Ｎ階の大梁１６と小梁２４とを支える支保工を架設し、Ｎ階のＡ１工区において、Ｎ階のスラブ３０をカッターで切断してブロック体３０Ｃに分断する。さらに、Ｎ階のエレベータ開口部鉄骨梁２６が結合された（Ｎ−１）階の一対の内周柱１５（図中塗り潰しで示す）をワイヤーソーマシーンで切断する。
【００２３】
図５Ａ〜図５Ｄは、外周柱１２を切断する手順を示す立面図である。なお、説明は省略するが、間柱２２も外周柱１２と同様の手順で切断される。図５Ａに示すように、まず、外周柱１２を切断する前に、外周柱１２の下端にハンマードリル４１で孔を空けてアンカーを打設する。これは後に、外周柱１２の下端にエレクションピース４０を取り付けるためである。
【００２４】
次は、図５Ｂに示すように、ワイヤーソーマシーン３６を設置し、防弾シート３８を設置し、外周柱１２を防弾シート３８で包囲する。次は、図５Ｃに示すように、ワイヤーソーマシーン３６で外周柱１２の下端を切断する。その後、図５Ｄに示すように、エレクションピース４０を、外周柱１２の下端に打設されたアンカーに取り付けることにより、切断された外周柱１２の下端を、仮接続する。
【００２５】
図６Ａ〜図６Ｃはそれぞれ、解体工事の第２工期でのＲ階、Ｎ階、及び（Ｎ−１）階の状態を示す見上げ図である。図６Ａに示すように、Ｒ階のＡ２工区では、Ｒ階のブロック体３０Ｂ（図中ハッチングで示す）をタワークレーン２で揚重して破砕作業場４に降ろす。また、Ｎ階のＡ２工区では、Ｒ階のブロック体３０Ｂを支えていたＮ階の支保工を撤去する。
【００２６】
また、図６Ｂに示すように、Ｎ階のＡ１工区では、Ｎ階のブロック体３０Ｃ（図中ハッチングで示す）、鉄骨階段２８、及び内周柱１５（ともに塗り潰しで示す）を、タワークレーン２で揚重して破砕作業場４に降ろす。また、（Ｎ−１）階のＡ１工区において、Ｎ階のブロック体３０Ｃを支えていた（Ｎ−１）階の支保工を撤去する。また、（Ｎ−１）階のＡ２工区では、Ｎ階の小梁２４の他、大梁１６やスラブ３０等を支える支保工３２を架設する。
【００２７】
また、図６Ｃに示すように、（Ｎ−１）階のＡ１工区では、（Ｎ−１）階のエレベータ開口部鉄骨梁２６（図中ハッチングで示す）をブロック解体してタワークレーン２で揚重して破砕作業場４に降ろす。また、（Ｎ−２）階のＡ１工区において、（Ｎ−１）階のスラブ３０を支える支保工３４を架設する。
【００２８】
図７Ａ及び図７Ｂはそれぞれ、解体工事の第３工期でのＲ階、及びＮ階の状態を示す見上げ図である。図７Ａに示すように、Ｒ階のＡ３工区では、Ｒ階のスラブ３０を分断したブロック体３０Ｂ（図中ハッチングで示す）をタワークレーン２で揚重して破砕作業場４に降ろす。また、Ｎ階のＡ３工区で、Ｒ階のブロック体３０Ｂを支えていたＮ階の支保工を撤去する。さらに、Ｎ階のＡ２工区における図中右側領域（以下、（Ａ２−１）工区という）では、Ｒ階の大梁１６、１８をガスバーナで切断する（図中楕円で示す）。
【００２９】
また、図７Ｂに示すように、（Ｎ−１）階のＡ３工区では、Ｎ階の小梁２４を支える支保工４８を架設する。
【００３０】
図８は、大梁１６の切断手順を示す側断面図である。この図に示すように、大梁１６の両端を、ガスバーナにより切断する。ここで、Ｈ鋼である大梁１６の上端に位置する上フランジはスラブ３０と共にカッターで切断し、大梁１６の下端に位置する下フランジ１６Ｆは切断せずに残し、大梁１６と外周柱１２とが下フランジ１６Ｆで接続された状態にする。
【００３１】
図９は、大梁１８の切断手順を示す立面図である。この図に示すように、大梁１８の両端を、ガスバーナにより切断する。ここで、Ｈ鋼である大梁１８の上端に位置する上フランジはスラブ３０と共にカッターで切断し、大梁１８の下端に位置する下フランジ１８Ｆは切断せずに残し、大梁１８と外周柱１２とが下フランジ１８Ｆで接続された状態にする。また、大梁１８を切断する際に、大梁１８を上端から下端まで直線的に切断するのではなく、吊りピース４２となる部分が外周柱１２に残るように切断する。
【００３２】
ここで、大梁１８にはＰＣ板４４が設けられており、このＰＣ板４４は、その両端をファスナー４６により大梁１８に取り付けられている。そこで、大梁１８を、ファスナー４６の位置よりも軸方向の両端側で切断する。これにより、両端を切断された大梁１８にファスナー４６とＰＣ板４４とが残るため、大梁１８とＰＣ板４４とを一のブロック体として揚重することができる。
【００３３】
図１０Ａ及び図１０Ｂはそれぞれ、解体工事の第４工期でのＲ階、及びＮ階の状態を示す見上げ図である。図１０Ａに示すように、Ｎ階の（Ａ２−１）工区では、Ｒ階の大梁１６、１８の下フランジ１６Ｆ、１８Ｆを、ガスバーナで切断する。そして、Ｒ階の（Ａ２−１）工区において、Ｒ階のブロック体３０Ａ、外周柱１２、間柱２２、及び大梁１６、１８（図中ハッチングで示す）を、タワークレーン２で揚重して破砕作業場４に降ろす。また、Ｎ階の（Ａ２−１）工区において、Ｒ階のブロック体３０Ａを支えていた支保工を撤去する。
【００３４】
また、Ｎ階のＡ２工区における図中右側領域（以下、（Ａ２−２）工区という）では、Ｒ階の大梁１６、１８を、ガスバーナで下フランジ１６Ｆ、１８Ｆを残して切断する（図中楕円で示す）。
【００３５】
また、図１０Ｂに示すように、（Ｎ−１）階の（Ａ２−１）工区では、Ｎ階の大梁１６と小梁２４とを支持する支保工５６を架設する。
【００３６】
図１１Ａ〜図１１Ｃは、大梁１８を揚重する手順を示す立面図である。図１１Ａに示すように、まず、間柱２２の左右両側の大梁１８をタワークレーン２に玉掛けする。この際、吊りチェーン５０を、間柱２２の左右両側の大梁１８に巻き付け、この吊りチェーン５０にワイヤー５２を取り付ける。そして、タワークレーン２により、大梁１８に、所定の荷重（例えば、吊り荷重の約８割の荷重）をかける。なお、所定の荷重は、吊り荷重の約８割には限られず、吊り荷重の５割や６割等であってもよい。
【００３７】
次は、図１１Ｂに示すように、大梁１８と外周柱１２とを接続する大梁１８の下フランジ１８Ｆを切断する。これにより、大梁１８と外周柱１２とが完全に縁切りされる。なお、吊りピース４２は切断せずに外周柱１２に残す。
【００３８】
次は、図１１Ｃに示すように、間柱２２の下端を仮接続しているエレクションピース４０を間柱２２から取り外す。これにより、間柱２２が下階の間柱２２から完全に縁切りされ、大梁１８及び間柱２２が、タワークレーン２により吊られた状態になる。そして、大梁１８及び間柱２２をタワークレーン２で揚重して破砕作業場４に降ろす。
【００３９】
図１２Ａ〜図１２Ｃは、外周柱１２と大梁１６とを揚重する手順を示す側断面図である。図１２Ａに示すように、まず、外周柱１２をタワークレーン２に玉掛けする。この際、ワイヤー５２を、外周柱１２の左右両側に形成された一対の吊りピース４２と、大梁１６の切断部に取り付けたコの字金物５４との３点に取り付ける。そして、タワークレーン２により、外周柱１２に、所定の荷重（例えば、吊り荷重の約８割の荷重）をかける。なお、所定の荷重は、吊り荷重の約８割には限られず、吊り荷重の５割や６割等であってもよい。
【００４０】
次は、図１２Ｂに示すように、外周柱１２と大梁１６とを接続する大梁１６の下フランジ１６Ｆを切断する。これにより、外周柱１２と大梁１６とが完全に縁切りされる。また、大梁１６と内周柱１４とを接続する大梁１６の下フランジ１６Ｆを切断する。これにより、内周柱１４と大梁１６とが完全に縁切りされる。なお、支保工により、大梁１６や小梁２４やスラブ３０等が支持されている。
【００４１】
次は、図１２Ｃに示すように、外周柱１２の下端を仮接続しているエレクションピース４０を外周柱１２から取り外す。これにより、外周柱１２が下階の外周柱１２から完全に縁切りされ、タワークレーン２により吊られた状態になる。そして、外周柱１２をタワークレーン２で揚重して破砕作業場４に降ろす。その後、支保工により支持されている大梁１６をタワークレーン２で揚重して破砕作業場４に降ろす。
【００４２】
図１３Ａ及び図１３Ｂはそれぞれ、解体工事の第５工期でのＲ階、及びＮ階の状態を示す見上げ図である。図１３Ａに示すように、Ｎ階のＡ１工区では、（Ａ２−１）工区側の３本のＮ階の内周柱１４（図中塗り潰しで示す）の下端をワイヤーソーで切断する。この際、外周柱１２の切断と同様、エレクションピース４０で内周柱１４の下端を仮接続する。また、（Ａ２−１）工区側の３本のＲ階の大梁２０を、その中央部でガスバーナにより切断する（図中楕円で示す）。この際、大梁１６、１８の切断と同様、下フランジを残す。
【００４３】
また、Ｎ階の（Ａ２−１）工区では、当該工区の角部に配置されたＮ階の外周柱１３（図中塗り潰しで示す）の下端をワイヤーソーで切断してタワークレーン２で揚重して破砕作業場４に降ろす。また、Ｎ階の（Ａ２−２）工区では、Ｒ階の大梁１６、１８の下フランジ１６Ｆ、１８Ｆを、ガスバーナで切断する。そして、Ｒ階の（Ａ２−２）工区において、Ｒ階のブロック体３０Ａ、外周柱１２、間柱２２、及び大梁１６、１８（図中ハッチングで示す）を、タワークレーン２で揚重して破砕作業場４に降ろす。また、Ｎ階の（Ａ２−２）工区において、Ｒ階のブロック体３０Ａを支えていた支保工を撤去する。
【００４４】
また、Ｎ階のＡ３工区における図中右側領域（以下、（Ａ３−１）工区という）では、Ｒ階の大梁１６、１８を、ガスバーナで下フランジ１６Ｆ、１８Ｆを残して切断する（図中楕円で示す）。
【００４５】
図１３Ｂに示すように、Ｎ階の（Ａ２−１）工区では、Ｎ階のスラブ３０を切断線Ｌ１、Ｌ２に沿ってカッターで切断する。なお、Ｎ階のスラブ３０を切断線Ｌ１、Ｌ２に沿ってカッターで切断する工程に先行して、Ｎ階のスラブ３０を切断線Ｌ３に沿ってカッターで切断する工程が実施されている。また、（Ｎ−１）階の（Ａ２−１）工区では、Ｎ階の小梁２４をガスバーナで切断する（図中楕円で示す）。また、（Ｎ−１）階の外周柱１２（図中塗り潰しで示す）の下端をワイヤーソーマシーン３６により切断し、エレクションピース４０により仮接続する。また、（Ｎ−１）階の（Ａ２−２）工区では、Ｎ階の大梁１６と小梁２４とを支持する支保工５６を架設する。
【００４６】
図１４Ａ及び図１４Ｂは、スラブ３０をカッターで切断する手順を拡大して示す見上げ図である。まず、図１４Ａに示すように、スラブ３０を、その短辺Ｓ１の方向（主筋方向）に、即ち切断線Ｌ３に沿ってカッターで切断する。次に、スラブ３０等を支える支保工を設置する。次に、図１４Ｂに示すように、スラブ３０を、その長辺Ｓ２の方向（配力筋方向）に、即ち、切断線Ｌ１、Ｌ２に沿ってカッターで切断する。これにより、スラブ３０の主筋が切断される。
【００４７】
ここで、スラブ３０を切断する際、まず主筋方向に切断する工程を実施した後に、配力筋方向に切断する工程を実施することにより、前者の工程を実施してから後者の工程を実施するまでの間、スラブ３０の主筋を切断せずに残し、スラブ３０の耐荷重を確保することができる。これにより、スラブ３０のカッターによる切断作業を始める前に、スラブ３０を支持する支保工を設置する必要がなく、切断作業の途中で支保工を設置すればよいため、支保工の設置時間を短縮できる。
【００４８】
図１５Ａは、外周柱１３をワイヤーソーマシーン３６で切断している状況を示す平面図であり、図１５Ｂは、当該状況を示す立面図であり、図１５Ｃは、外周柱１３を固定する架台６０を示す立面図である。また、図１６は、外周柱１３の揚重手順を示す斜視図である。
【００４９】
図１５Ａ〜図１５Ｃ及び図１６に示すように、架台６０は、一対のフレーム６２と、一対のフレーム６２を結合する一対の梁６４、６６と、ワイヤー６８とを備えている。各フレーム６２は、外周柱１３の下端に接合された一対の大梁１８の各々の上に設置され、各大梁１８に固定されている。各フレーム６２は、各大梁１８に固定された底梁６２Ａと、その上に平行に配された中間梁６２Ｂ及び上梁６２Ｃと、底梁６２Ａ、中間梁６２Ｂ及び上梁６２Ｃの一端を結合する柱６２Ｄと、底梁６２Ａの他端と中間梁６２Ｂとを結合する柱６２Ｅと、中間梁６２Ｂと上梁６２Ｃとの他端を結合する柱６２Ｆとを備えている。柱６２Ｆは、外周柱１３の側面に当接している。
【００５０】
梁６４は、一対のフレーム６２の柱６２Ｄの上端を結合し、梁６６は、一対のフレーム６２の梁６２Ｃを結合している。また、ワイヤー６８は、外周柱１３の外周側に巻回されて両端を梁６６の両端に固定されている。ここで、ワイヤー６８の一端は、梁６６の一端にレバーブロックを介して固定されており、このレバーブロックにより緊張されたワイヤー６８が、外周柱１３を緊縛することにより架台６０の中間梁６２Ｂ及び上梁６２Ｃに固定している。
【００５１】
ワイヤーソーマシーン３６には、ワイヤーＷが巻き掛けられたフライホイール３６Ｆ、上下一対のプーリ３６Ｕ、３６Ｄが設けられている。また、外周柱１３の下端の近傍には、変換架台７０が配置されている。変換架台７０は、ワイヤーＷが巻き掛けられたプーリ７２Ａ、７２Ｂ、７２Ｃ、７４Ａ、７４Ｂを備えている。プーリ７２Ａ、７２Ｂ、７２Ｃは、プーリ３６Ｕ、３６Ｄの回転軸と平行な回転軸の周りに回転する。また、プーリ７４Ａ、７４Ｂは、鉛直な回転軸周りに回転する。
【００５２】
ワイヤーＷは、フライホイール３６Ｆ、プーリ３６Ｕ、３６Ｄ、７２Ａ、７２Ｂ、７２Ｃにより鉛直面内で周回するように張架され、プーリ７２Ｄ、７２Ｅと外周柱１３とにより水平面内で周回するように張架されている。これにより、ワイヤーソーマシーン３６が駆動されてワイヤーＷが周回すると、外周柱１３の下端がワイヤーＷにより切断される。
【００５３】
図１５Ａ〜１５Ｃに示すように、外周柱１３の下端を、架台６０により固定した状態でワイヤーソーマシーン３６により切断する。これにより、大梁１８から分断されて独立して建っている外周柱１３を、転倒させることなく切断することができる。
【００５４】
図１６に示すように、外周柱１３の下端を切断した後は、架台６０により外周柱１３を固定した状態で、外周柱１３をタワークレーン２に玉掛けする。この際、ワイヤー５２を２個の吊りピース４２に固定すると共に、外周柱１３に胴巻きする。そして、タワークレーン２により、外周柱１３に、所定の荷重（例えば、吊り荷重の約８割の荷重）をかける。なお、所定の荷重は、吊り荷重の約８割には限られず、吊り荷重の５割や６割等であってもよい。
【００５５】
次は、ワイヤー６８による外周柱１３の緊縛を開放する。これにより、架台６０による外周柱１３の固定が開放され、外周柱１３が、タワークレーン２により吊られた状態になる。そして、外周柱１３をタワークレーン２で揚重して破砕作業場４に降ろす。
【００５６】
なお、フレーム６２の構成は、上述のものには限られず、柱や梁の数や配置を変更したり、板やブレースを付加したりする等、必要に応じて適宜変更してもよい。また、本実施形態では、フレーム６２を外周柱１３の下側の大梁１８に固定しているが、大梁１８の上にスラブが存在する場合には、このスラブに固定してもよく、さらには、大梁１８に荷重が伝達できるのであれば、大梁１８の真上からずれた位置においてスラブに固定してもよい。
【００５７】
図１７Ａ及び図１７Ｂはそれぞれ、解体工事の第６工期でのＲ階、及びＮ階の状態を示す見上げ図である。図１７Ａに示すように、Ｎ階のＡ１工区では、（Ａ２−２）工区側の３本のＮ階の内周柱１４の下端をワイヤーソーで切断する。この際、外周柱１２の切断と同様、エレクションピース４０で内周柱１４の下端を仮接続する。また、（Ａ２−２）工区側の３本のＲ階の大梁２０を、その中央部でガスバーナにより切断する。この際、大梁１６、１８の切断と同様、下フランジを残す。
【００５８】
また、Ｎ階の（Ａ２−２）工区では、当該工区の角部に配置されたＮ階の外周柱１３の下端を、架台６０等を用いた状態でワイヤーソーで切断してタワークレーン２で揚重して破砕作業場４に降ろす。
【００５９】
また、Ｎ階の（Ａ３−１）工区では、Ｒ階の大梁１６、１８の下フランジ１６Ｆ、１８Ｆを、ガスバーナで切断する。そして、Ｒ階の（Ａ３−１）工区において、Ｒ階のブロック体３０Ａ、外周柱１２、間柱２２、及び大梁１６、１８を、タワークレーン２で揚重して破砕作業場４に降ろす。また、Ｎ階の（Ａ３−１）工区において、Ｒ階のブロック体３０Ａを支えていた支保工を撤去する。
【００６０】
また、Ｎ階のＡ３工区における図中左側領域（以下、（Ａ３−２）工区という）では、Ｒ階の大梁１６、１８を、ガスバーナで下フランジ１６Ｆ、１８Ｆを残して切断する。
【００６１】
図１７（Ｂ）に示すように、（Ｎ−１）階の（Ａ２−２）工区では、Ｎ階の小梁２４をガスバーナで切断する。また、（Ｎ−１）階の外周柱１２の下端をワイヤーソーマシーン３６により切断し、エレクションピース４０により仮接続する。また、Ｎ階のスラブ３０の外周と内周とを切断線Ｌ１、Ｌ２に沿ってカッターで切断する。また、（Ｎ−１）階の（Ａ３−１）工区では、Ｎ階の大梁１６と小梁２４とを支持する支保工５６を架設する。
【００６２】
図１８Ａ〜図１８Ｃはそれぞれ、解体工事の第７工期でのＲ階、Ｎ階、及び（Ｎ−１）階の状態を示す見上げ図である。図１８Ａに示すように、Ｎ階のＡ１工区では、（Ａ３−１）工区側の３本のＮ階の内周柱１４（図中塗り潰しで示す）の下端をワイヤーソーで切断する。この際、外周柱１２の切断と同様、エレクションピース４０で内周柱１４の下端を仮接続する。また、（Ａ３−１）工区側の３本のＲ階の大梁２０を、その中央部でガスバーナにより切断する（図中楕円で示す）。この際、大梁１６、１８の切断と同様、下フランジを残す。
【００６３】
また、Ｎ階の（Ａ３−１）工区では、当該工区の角部に配置されたＮ階の外周柱１３（図中塗り潰しで示す）の下端をワイヤーソーマシーン３６で切断してタワークレーン２で揚重して破砕作業場４に降ろす。
【００６４】
また、Ｎ階の（Ａ３−２）工区では、Ｒ階のブロック体３０Ａ、外周柱１２、間柱２２、及び大梁１６、１８を、タワークレーン２で揚重して破砕作業場４に降ろす。また、Ｒ階のブロック体３０Ａを支えていた支保工を撤去する。
【００６５】
図１８Ｂに示すように、Ｎ階の（Ａ３−１）工区では、Ｎ階のスラブ３０の外周と内周とを切断線Ｌ１、Ｌ２に沿ってカッターで切断する。（Ｎ−１）階の（Ａ３−１）工区では、Ｎ階の小梁２４をガスバーナで切断する（図中楕円で示す）。また、（Ｎ−１）階の外周柱１２、間柱２２（図中塗り潰しで示す）の下端をワイヤーソーマシーン３６により切断し、エレクションピース４０により仮接続する。また、（Ｎ−１）階の（Ａ３−２）工区では、Ｎ階の大梁１６と小梁２４とを支持する支保工５６を架設する。
【００６６】
図１８Ｃに示すように、（Ｎ−１）階のＡ１工区では、内周柱１５（図中塗り潰しで示す）の下端をワイヤーソーマシーン３６で切断し、エレクションピース４０により仮接続する。
【００６７】
図１９Ａ〜図１９Ｃはそれぞれ、解体工事の第８工期でのＲ階、Ｎ階、及び（Ｎ−１）階の状態を示す見上げ図である。図１９Ａに示すように、Ｎ階のＡ１工区では、（Ａ３−２）工区側の３本のＮ階の内周柱１４（図中塗り潰しで示す）の下端をワイヤーソーマシーン３６で切断する。この際、外周柱１２の切断と同様、エレクションピース４０で内周柱１４の下端を仮接続する。また、（Ａ３−２）工区側の３本のＲ階の大梁２０を、その中央部でガスバーナにより切断する。この際、大梁１６、１８の切断と同様、下フランジを残す。その後、Ｎ階のＡ１工区では、内周柱１４をタワークレーンで玉掛けし、所定の荷重をかけてからＲ階の大梁２０の下フランジを、ガスバーナで切断し、エレクションピース４０による内周柱１４の仮接続を解除する。また、内周柱１４及び大梁２０（図中ハッチングで示す）を、タワークレーン２で揚重して破砕作業場４に降ろす。
【００６８】
また、Ｎ階の（Ａ３−２）工区では、当該工区の角部に配置されたＮ階の外周柱１３（図中塗り潰しで示す）の下端を、架台６０等を用いた状態でワイヤーソーマシーン３６で切断し、タワークレーン２で揚重して破砕作業場４に降ろす。
【００６９】
図１９Ｂに示すように、Ｎ階の（Ａ３−２）工区では、Ｎ階のスラブ３０の外周と内周とを切断線Ｌ１、Ｌ２に沿ってカッターで切断する。（Ｎ−１）階の（Ａ３−２）工区では、Ｎ階の小梁２４をガスバーナで切断する（図中楕円で示す）。また、（Ｎ−１）階の外周柱１２（図中塗り潰しで示す）の下端をワイヤーソーマシーン３６により切断し、エレクションピース４０により仮接続する。
【００７０】
図１９Ｃに示すように、（Ｎ−２）階のＡ１工区では、Ｎ階の小梁２４をガスバーナにより切断する（図中楕円で示す）。
【００７１】
以上、説明したように、本実施形態に係る建物１０の解体工法では、周囲の大梁１６、１８から分断されて建物１０の角部に独立柱として残存した外周柱１３を、架台６０に固定した状態で切断する（図１４Ａ〜図１４Ｃ及び図１５参照）。ここで、架台６０は、独立柱１３の近傍に仮設された一対のフレーム６２を備え、外周柱１３は、ワイヤー６８により一対のフレーム６２に固定されている。
【００７２】
これにより、一対のフレーム６２に引張耐力、圧縮耐力、及び曲げ耐力を負担させることが可能である。従って、一対のフレーム６２により、２方向から地震時水平力を負担することができ、周囲の梁１６、１８から分離された独立柱である外周柱１３を、安定的に支持した状態で切断することができる。
【００７３】
また、各フレーム６２は、外周柱１３の下側に結合された一対の大梁１８の各々の上に固定されている。これにより、フレーム６２が受けた荷重を大梁１８に伝達させることができ、フレーム６２の耐荷重を増大させることができる。従って、独立柱１３を、より一層安定的に支持することができる。
【００７４】
また、一対のフレーム６２を、一方と他方とが互いに直角（略直角）となるように配置したことにより、地震時水平力を、互いに直交する２方向から負担することができ、独立柱である外周柱１３を、より一層安定的に支持した状態で切断することができる。
【００７５】
また、一対のフレーム６２に連結されたワイヤー６８により外周柱１３を緊縛することにより、外周柱１３を一対のフレーム６２に固定し、そして、ワイヤー６８による外周柱１３の緊縛を開放することにより、外周柱１３の一対のフレーム６２への固定を開放した。これにより、切断後の外周柱１３の一対のフレーム６２への固定を開放する作業を容易化でき、外周柱１３の切断工程から揚重工程へ円滑に移行することができる。
【００７６】
なお、上記実施形態では、建物１０の角部に独立柱として残存する外周柱１３を解体する例をとって本発明を説明したが、建物の角部の独立柱に限らず、建物の内周側に残存する独立柱にも本発明を適用できる。
【００７７】
また、上記実施形態では、独立柱として残存する外周柱１３を、ワイヤー６８で緊縛することにより一対のフレーム６２に固定したが、アンカーで固定してもよい。また、フレーム６２の設置数は、３個以上でもよい。
【００７８】
また、上記の各実施形態では、梁及び柱を鉄骨又は鉄筋コンクリート造とする柱・梁構造の建物を解体する場合について説明したが、本発明はこれに限らず、梁及び柱の少なくとも一方を鉄骨鉄筋コンクリート造とする柱・梁構造の建物を解体する場合にも適用できる。また、上記の各実施形態では、独立柱が鉄筋コンクリート造の柱である場合について説明したが、本発明はこれに限らず、独立柱が鉄骨や鉄骨鉄筋コンクリート等の他の構造である場合にも適用できる。さらに、上記の各さらに、上記実施形態では、高層の建物を解体する場合について説明したが、本発明はこれに限らず、低層の建物等を解体する場合にも適用できる。
【符号の説明】
【００７９】
２  タワークレーン、３  マスト、４  破砕作業場、６  破砕機、８  養生、１０  建物、１２  外周柱、１３  外周柱（独立柱）、１４、１５  内周柱、１６、１８、２０、２１  大梁、２２  間柱、２４  小梁、２６  エレベータ開口部鉄骨梁、２８  鉄骨階段、３０  スラブ、３０Ａ、３０Ｂ  ブロック体、３２、３４  支保工、３６  ワイヤーソーマシーン、３８  防弾シート、４０  エレクションピース、４２  吊りピース、４４  ＰＣ板、４６  ファスナー、４８  支保工、５０  吊りチェーン、５２  ワイヤー、５４  コの字金物、５６  支保工、６０  架台（柱保持装置）、６２  フレーム、６２Ａ  底梁、６２Ｂ  中間梁、６２Ｃ  上梁、６２Ｄ、６２Ｅ、６２Ｆ  柱、６４、６６  梁、６８  ワイヤー（緊縛材、固定手段）
【図１】
0005640483.tif 000002
【図２】
0005640483.tif 000003
【図３】
0005640483.tif 000004
【図４Ａ】
0005640483.tif 000005
【図４Ｂ】
0005640483.tif 000006
【図５Ａ】
0005640483.tif 000007
【図５Ｂ】
0005640483.tif 000008
【図５Ｃ】
0005640483.tif 000009
【図５Ｄ】
0005640483.tif 000010
【図６Ａ】
0005640483.tif 000011
【図６Ｂ】
0005640483.tif 000012
【図６Ｃ】
0005640483.tif 000013
【図７Ａ】
0005640483.tif 000014
【図７Ｂ】
0005640483.tif 000015
【図８】
0005640483.tif 000016
【図９】
0005640483.tif 000017
【図１０Ａ】
0005640483.tif 000018
【図１０Ｂ】
0005640483.tif 000019
【図１１Ａ】
0005640483.tif 000020
【図１１Ｂ】
0005640483.tif 000021
【図１１Ｃ】
0005640483.tif 000022
【図１２Ａ】
0005640483.tif 000023
【図１２Ｂ】
0005640483.tif 000024
【図１２Ｃ】
0005640483.tif 000025
【図１３Ａ】
0005640483.tif 000026
【図１３Ｂ】
0005640483.tif 000027
【図１４Ａ】
0005640483.tif 000028
【図１４Ｂ】
0005640483.tif 000029
【図１５Ａ】
0005640483.tif 000030
【図１５Ｂ】
0005640483.tif 000031
【図１５Ｃ】
0005640483.tif 000032
【図１６】
0005640483.tif 000033
【図１７Ａ】
0005640483.tif 000034
【図１７Ｂ】
0005640483.tif 000035
【図１８Ａ】
0005640483.tif 000036
【図１８Ｂ】
0005640483.tif 000037
【図１８Ｃ】
0005640483.tif 000038
【図１９Ａ】
0005640483.tif 000039
【図１９Ｂ】
0005640483.tif 000040
【図１９Ｃ】
0005640483.tif 000041